(57)【要約】【課題】ＡＤＦカバーの開閉を、既設の読取手段を用いて好適に検知する画像読取装置を提供すること。【解決手段】画像読取装置は、搬送経路を介して原稿を読取位置５３に搬送する自動原稿給紙部（ＡＤＦ）と、搬送経路にアクセス可能に開放可能なＡＤＦカバーと、読取位置５３に搬送されてきた原稿に光を照射し、原稿からの反射光を受光して原稿の画像を読み取る読取手段３０と、ＡＤＦカバーの開閉状態を検知する検知手段とを含む。検知手段は、ＡＤＦカバーの開閉状態を検知するための検知光を読取手段３０から所定の検知領域５５に照射させ、読取手段３０による、検知領域５５からの検知光の受光量に基づき、ＡＤＦカバーの開閉状態を検知する。画像読取装置は、さらに、検知光を反射し、読取手段３０による検知光の受光量をＡＤＦカバーの開閉状態に応じて可変する受光量可変手段を含む。【選択図】図５
2011015046.tif 000002
【特許請求の範囲】
【請求項１】
搬送経路を有し、前記搬送経路を介して原稿を読取位置に搬送する自動原稿給紙部（ＡＤＦ）と、
前記ＡＤＦに設けられ、前記搬送経路にアクセス可能に開放可能なＡＤＦカバーと、
前記読取位置に搬送されてきた原稿に光を照射し、原稿からの反射光を受光して原稿の画像を読み取る読取手段と、
前記ＡＤＦカバーの開閉状態を検知するための検知光を前記読取手段から所定の検知領域に照射させ、前記読取手段による、前記検知領域からの前記検知光の受光量に基づき、前記ＡＤＦカバーの開閉状態を検知する検知手段と、
前記検知光を反射し、前記読取手段による前記検知光の受光量を前記ＡＤＦカバーの開閉状態に応じて可変する受光量可変手段と、
を備える画像読取装置。
【請求項２】
請求項１に記載の画像読取装置において、
前記受光量可変手段は、前記ＡＤＦカバーの開閉状態に応じて、前記所定の検知領域に対して移動して前記読取手段の前記検知光の受光量を可変する、画像読取装置。
【請求項３】
請求項２に記載の画像読取装置において、
前記受光量可変手段は、白領域を有し、前記ＡＤＦカバーの開状態および閉状態のうちいずれか一方の状態のときに、前記所定の検知領域において前記検知光を前記白領域によって前記読取手段に向けて反射し
前記検知手段は、前記検知光の受光量が他方の状態より多い場合に前記ＡＤＦカバーの前記一方の状態を検知する、画像読取装置
【請求項４】
請求項３に記載の画像読取装置において、
前記受光量可変手段は、前記ＡＤＦカバーの開閉に連動して水平方向に可動するシャッターを含む、画像読取装置。
【請求項５】
請求項４に記載の画像読取装置において、
前記シャッターは、さらに黒領域を有し、前記ＡＤＦカバーの開状態および閉状態のうちいずれか一方の状態のときに前記白領域によって前記検知領域において前記検知光を前記読取手段に向けて反射し、前記開状態および閉状態のうちいずれか他方の状態のときに前記黒領域によって前記検知領域において前記検知光を前記読取手段に向けて反射する、画像読取装置。
【請求項６】
請求項１から請求項５のいずれか一項に記載の画像読取装置において、
前記原稿を載置し、前記読取手段を副走査方向に移動させて前記原稿の画像を読み取るための原稿載置台と、
前記原稿載置台を開放する原稿カバーとをさらに備え、
前記検知領域は、前記読取手段の主走査方向に設けられる、前記ＡＤＦカバー開閉を検知するための第１領域と、前記原稿カバーの開閉を検知するための第２領域とを含み、
前記受光量可変手段は、前記検知光の受光量を前記ＡＤＦカバーの開閉状態に応じて可変する第１受光量可変手段と、前記検知光の受光量を前記原稿カバーの開閉状態に応じて可変する第２受光量可変手段とを含み、
前記検知手段は、前記ＡＤＦカバーおよび前記原稿カバーの開閉状態を検知するための検知光を前記読取手段から前記第１領域および前記第２領域に照射させ、前記読取手段による、前記第１領域および前記第２領域からの前記検知光の受光量に基づき、前記ＡＤＦカバーおよび前記原稿カバーの開閉状態を検知する、画像読取装置。
【請求項７】
請求項６に記載の画像読取装置において、
前記第１受光量可変手段は、前記ＡＤＦカバーが開状態であるとき、前記検知光を反射する、画像読取装置。
【請求項８】
請求項１から請求項７のいずれか一項に記載の画像読取装置において、
前記検知領域が、前記読取位置に形成される画像読取領域の外に設けられる、画像読取装置。
【請求項９】
請求項８に記載の画像読取装置において、
前記読取手段は、前記原稿の画像の読み取りを開始する前において、ホームポジションに配置され、
前記検知領域は、前記読取位置に対して、前記読取手段の副走査方向において前記ホームポジションと反対側に設けられる、画像読取装置。
【請求項１０】
請求項８に記載の画像読取装置において、
前記読取手段は、
前記原稿の画像の読み取りを開始する前において、ホームポジションに配置され、
前記読取手段の主走査方向において、前記読取位置の前記主走査方向の長さより長い長さの発光領域および受光領域を有し、
前記検知領域は、前記読取手段の主走査方向において、前記ホームポジションの近傍に設けられる、画像読取装置。
【請求項１１】
請求項１から請求項１０のいずれか一項に記載の画像読取装置において、
前記検知領域は前記検知光を通過させるスリットを含む、画像読取装置。
【請求項１２】
請求項１から請求項１１のいずれか一項に記載の画像読取装置において、
前記ＡＤＦは、前記読取位置に搬送される原稿の読取要求があった場合において、前記ＡＤＦカバーの閉状態が検知された場合に、前記原稿の搬送を開始する、画像読取装置。
【請求項１３】
請求項１から請求項１２のいずれか一項に記載の画像読取装置と、
前記画像読取装置で読み取った前記原稿の画像を、被記録媒体上に形成する画像形成部と、
を備えた画像形成装置。
【発明の詳細な説明】
【技術分野】
【０００１】
本発明は、画像読取装置および該画像読取装置を備えた画像形成装置に関し、詳しくは、画像読取装置のカバーの開閉検知に関する。
【背景技術】
【０００２】
従来において、画像読取装置の原稿押さえ板（原稿カバー）の開閉を読取センサで検知する技術が、例えば、特許文献１に開示されている。また、従来、画像読取装置には、自動原稿給紙装置（Auto Document Feeder：ＡＤＦ）が設けられている。自動原稿給紙装置には、自動原稿給紙コピーを行った際に、原稿のジャムが発生した場合、ユーザがその原稿を取り除けるように、ＡＤＦカバーが設けられている。そして、ＡＤＦカバーが開放された状態においてコピーを行うと、ＡＤＦモータ駆動部に手が巻き込まれる虞があるため、通常、自動原稿給紙装置には、ＡＤＦカバーの開放を検知するための、フォトインタラプタ等の光センサが設けられている。
【先行技術文献】
【特許文献】
【０００３】
【特許文献１】特開平１０−０３２６７９号公報
【発明の概要】
【発明が解決しようとする課題】
【０００４】
しかしながら、自動原稿給紙装置に、ＡＤＦカバーの開放を検知するためのフォトインタラプタ等の光センサを設ける場合、光センサ用の配線を、別途設ける必要があった。また、ＡＤＦカバーの開放検知を、上記文献１のように、読取センサ（読取手段）を用いて行おうとすると、ＡＤＦカバーと読取手段との間に、原稿カバーが介在すること等によって、容易ではなかった。
【０００５】
本発明は、ＡＤＦカバーの開閉を、既設の読取手段を用いて好適に検知する技術を提供するものである。
【課題を解決するための手段】
【０００６】
上記の技術を提供するための手段として、第１の発明に係る、画像読取装置は、搬送経路を有し、前記搬送経路を介して原稿を読取位置に搬送する自動原稿給紙部（ＡＤＦ）と、前記ＡＤＦに設けられ、前記搬送経路にアクセス可能に開放可能なＡＤＦカバーと、前記読取位置に搬送されてきた原稿に光を照射し、原稿からの反射光を受光して原稿の画像を読み取る読取手段と、前記ＡＤＦカバーの開閉状態を検知するための検知光を前記読取手段から所定の検知領域に照射させ、前記読取手段による、前記検知領域からの前記検知光の受光量に基づき、前記ＡＤＦカバーの開閉状態を検知する検知手段と、前記検知光を反射し、前記読取手段による前記検知光の受光量を前記ＡＤＦカバーの開閉状態に応じて可変する受光量可変手段とを備える。
【０００７】
本構成によれば、ＡＤＦカバーの開閉状態が、受光量可変手段を設けることによって、既設の読取手段を用いて好適に検知される。そのため、ＡＤＦカバーの開閉状態を検知するための、フォトインタラプタ等の光センサおよびその配線を、別途設ける必要がない。
【０００８】
第２の発明は、第１の発明の画像読取装置において、前記受光量可変手段は、前記ＡＤＦカバーの開閉状態に応じて、前記所定の検知領域に対して移動して前記読取手段の前記検知光の受光量を可変する。
【０００９】
本構成によれば、ＡＤＦカバーの開閉状態に応じて受光量可変手段を検知領域に移動させて、検知領域において受光量可変手段によって検知光を反射させることによって、読取手段による検知光の受光量を好適に可変することができる。
【００１０】
第３の発明は、第２の発明の画像読取装置において、前記検知領域は、白領域を有し、前記ＡＤＦカバーの開状態および閉状態のうちいずれか一方の状態のときに、前記所定の検知領域において前記検知光を前記白領域によって前記読取手段に向けて反射し、前記検知手段は、前記検知光の受光量が他方の状態より多い場合に前記ＡＤＦカバーの前記一方の状態を検知する。  
本構成によれば、受光量可変手段において検知光を反射する領域を白領域とすることによって、検知光の反射量、すなわち、読取手段の受光量を最大化できる。
【００１１】
第４の発明は、第３の発明の画像読取装置において、前記受光量可変手段は、前記ＡＤＦカバーの開閉に連動して水平方向に可動するシャッターを含む。  
本構成によれば、検知光の反射手段を好適に、実現できる。
【００１２】
第５の発明は、第４の発明の画像読取装置において、前記シャッターは、さらに黒領域を有し、前記ＡＤＦカバーの開状態および閉状態のうちいずれか一方の状態のときに前記白領域によって前記検知領域において前記検知光を前記読取手段に向けて反射し、前記開状態および閉状態のうちいずれか他方の状態のときに前記黒領域によって前記検知領域において前記検知光を前記読取手段に向けて反射する。
【００１３】
本構成によれば、検知光の反射量の差は、白領域における検知光の反射量と黒領域における検知光の反射量とにおいて最大となる。そのため、ＡＤＦカバーの開閉にシャッターの黒領域および白領域を対応させることにより、読取手段の受光量の変化によるＡＤＦカバーの開閉検知の信頼性が向上する。
【００１４】
第６の発明は、第１から第５のいずれか一つの発明の画像読取装置において、前記原稿を載置し、前記読取手段を副走査方向に移動させて前記原稿の画像を読み取るための原稿載置台と、前記原稿載置台を開放する原稿カバーとをさらに備え、前記検知領域は、前記読取手段の主走査方向に設けられる、前記ＡＤＦカバー開閉を検知するための第１領域と、前記原稿カバーの開閉を検知するための第２領域とを含み、前記受光量可変手段は、前記検知光の受光量を前記ＡＤＦカバーの開閉状態に応じて可変する第１受光量可変手段と、前記検知光の受光量を前記原稿カバーの開閉状態に応じて可変する第２受光量可変手段とを含み、前記検知手段は、前記ＡＤＦカバーおよび前記原稿カバーの開閉状態を検知するための検知光を前記読取手段から前記第１領域および前記第２領域に照射させ、前記読取手段による、前記第１領域および前記第２領域からの前記検知光の受光量に基づき、前記ＡＤＦカバーおよび前記原稿カバーの開閉状態を検知する。  
本構成によれば、既設の読取手段によって、ＡＤＦカバーおよび原稿カバーの、２つのカバーの開閉を検知できる。
【００１５】
第７の発明は、第６の発明の画像読取装置において、前記第１受光量可変手段は、前記ＡＤＦカバーが開状態であるとき、前記検知光を反射する。  
本構成によれば、ＡＤＦカバーの開閉検知と原稿カバーの開閉検知との判定基準が互いに依存しない（原稿カバー検知領域とＡＤＦカバー検知領域とは互いの開閉状態に関係しない）ようにできる。そのため、各カバー検知を互いに独立して行える。
【００１６】
第８の発明は、第１から第７のいずれかの発明の画像読取装置において、前記検知領域が、画像読取領域の外に設けられる。  
本構成によれば、原稿読取処理との衝突を避けることができる。
【００１７】
第９の発明は、第８の発明の画像読取装置において、前記読取手段は、前記原稿の画像の読み取りを開始する前において、ホームポジションに配置され、前記検知領域は、前記読取位置に対して、前記読取手段の副走査方向において前記ホームポジションと反対側に設けられる。  
本構成によれば、読取手段の主走査方向の大きさをＡＤＦカバーの開閉検出のために変更する必要がなく、既存の読取手段を利用できる。また、検知領域の大きさの制限が少なく、読取手段をより有効に使用できる。
【００１８】
第１０の発明は、第８の発明の画像読取装置において、前記読取手段は、前記原稿の画像の読み取りを開始する前において、ホームポジションに配置され、前記読取手段の主走査方向において、前記読取位置の前記主走査方向の長さより長い長さの発光領域および受光領域を有し、前記検知領域は、前記読取手段の主走査方向において、前記ホームポジションの近傍に設けられる。  
本構成によれば、例えば、検知領域を、主走査方向において、ホームポジションに設けることによって、読取手段をホームポジションから移動させることなく、ＡＤＦカバーの開閉検出を行える。すなわち、ＡＤＦカバーの開閉検出を迅速に行える。
【００１９】
第１１の発明は、第１から第１０のいずれか一つの発明の画像読取装置において、前記検知領域は前記検知光を通過させるスリットを含む。
本構成によれば、ＡＤＦカバーの開閉に応じて、受光量可変手段によってスリットを開閉することによって、読取手段による検知光の受光量を好適に可変できる。
【００２０】
第１２の発明は、第１から第１１のいずれか一つの発明の画像読取装置において、前記ＡＤＦは、前記読取位置に搬送される原稿の読取要求があった場合において、前記ＡＤＦカバーの閉状態が検知された場合に、前記原稿の搬送を開始する。  
本構成によれば、読取位置に搬送される原稿の読取を確実に行える。
【００２１】
第１３の発明に係る、画像形成装置は、第１から第１２のいずれか一つの発明の画像読取装置と、前記画像読取装置で読み取った前記原稿の画像を、被記録媒体上に形成する画像形成部とを備える。  
本構成によれば、例えば、画像読取装置を備えた複合機である画像形成装置において、ＡＤＦカバーの開閉を、既設の読取手段を用いて好適に検知することができる。
【発明の効果】
【００２２】
本発明の画像読取装置によれば、ＡＤＦカバーの開閉を、既設の読取手段を用いて好適に検知することができる。
【図面の簡単な説明】
【００２３】
【図１】本発明の実施形態１における複合機の外観を示す斜視図
【図２】複合機の原稿カバーを上げた状態を示す斜視図
【図３】複合機の画像読取装置の概略的な断面図
【図４】複合機の電気的構成を概略的に示すブロック図
【図５】画像読取装置の原稿載置台の平面図
【図６】画像読取装置のＡＤＦカバーが開いた状態を示す外観図
【図７】実施形態１のカバー開閉検出ルーチンを示すフローチャート
【図８】実施形態２における、ＡＤＦカバーが閉状態での受光量可変手段の状態を示す概略図
【図９】実施形態２における、ＡＤＦカバーが開状態での受光量可変手段の状態を示す概略図
【図１０】実施形態２におけるシャッター裏面の別の例を示す概略図
【図１１】実施形態３における原稿載置台の平面図
【図１２】実施形態３のカバー開閉検出ルーチンを示すフローチャート
【図１３】別の例の原稿載置台を示す平面図
【発明を実施するための形態】
【００２４】
＜実施形態１＞
次に本発明の実施形態１について図１から図７を参照して説明する。
【００２５】
１．複合機の外観構成
図１は、本発明の画像形成装置の一例である複合機１の外観を示す斜視図であり、図２は、その原稿カバー４８を上げた状態を示す斜視図である。この複合機１は、プリンタ機能、スキャナ機能、コピー機能、ファクシミリ機能などを備えた多機能周辺装置である。
【００２６】
複合機１は、図１および図２に示すように、本体部２の上方に原稿を読み取るための画像読取装置３を備えている。画像読取装置３は、読取部（「読取手段」の一例）３０、自動原稿給紙装置（ＡＤＦ）４０、および原稿載置部５０等を含む。
【００２７】
原稿載置部５０は透明なガラス板からなる第１プラテンガラス５２および第２プラテンガラス（「読取位置」に相当）５３を含む。第１プラテンガラス５２の上面は、原稿カバー４８によって開閉可能に覆われている。
【００２８】
原稿カバー４８は、第１プラテンガラス５２を覆う閉姿勢と第１プラテンガラス５２を開放する開姿勢とに回動可能に、複合機１の筐体２の後側上方（操作部１１、表示部１２等が設けられる側を前側とする）に連結されている。原稿カバー４８上に、ＡＤＦ４０が設けられている。
【００２９】
ＡＤＦ４０は、図３に示されるように、ＡＤＦカバー４１、原稿トレイ４２、搬送路（「搬送経路」に相当）４３、一対の搬送ローラ４４、一対の排紙ローラ４５等の各種のローラ、これらを駆動する図示しないステッピングモータ、および排紙トレイ４６を含む。ＡＤＦ４０は、原稿トレイ４２に載置されている原稿を一枚ずつ搬送して第２プラテンガラス５３上を通過させ、排紙トレイ４６に排出する。さらに、原稿トレイ４２にセットされた原稿を検出するための、フォトセンサ等の原稿センサ４９が設けられている。
ＡＤＦカバー４１は、搬送路４３を覆う閉姿勢（閉状態）と搬送路４３を開放する開姿勢（開状態）とに回動可能に、原稿カバー４８の端部（複合機１の前側から見て左側の端部；図２参照）に連結されている。
【００３０】
読取部３０は、図３に示されるように、原稿載置部５０の下方に設けられている。読取部３０は、ここではＣＩＳ（Contact Image Sensor）方式で原稿を読み取るように構成されている。読取部３０は、複数の受光素子が紙面垂直方向に直線状に配列されているリニアイメージセンサ３３、ＲＧＢ３色の発光ダイオードなどで構成される光源３１、原稿で反射された反射光をリニアイメージセンサ３３の各受光素子に結像させるロッドレンズアレイ３２、これらが搭載されるキャリッジ３４、およびキャリッジ３４を搬送する図示しない搬送機構を含む。なお、読取部３０はＣＩＳ方式に限られず、縮小光学系およびＣＣＤ（電荷結合素子）イメージセンサを用いた、いわゆるＣＣＤ方式であってもよい。
【００３１】
読取部３０は、第１プラテンガラス１２に載置されている原稿を読み取るときはキャリッジ３４を、ホームポジションＨＰから第１プラテンガラス５２の盤面に平行な副走査方向（図３中のＡ方向）に一定速度で搬送しながら読み取り、ＡＤＦ４０によって搬送される原稿を読み取るときはキャリッジ３４をホームポジションＨＰから第２プラテンガラス５３の直下に停止させて読み取る。キャリッジ３４（読取部３０）の初期位置であるホームポジションＨＰは、ここでは、リニアイメージセンサ３３が原稿載置部５０の中間枠５４の下方に位置する場所とする（図５参照）。なお、ホームポジションＨＰの位置は、これに限られない。例えば、中間枠５４から少し第１プラテンガラス５２側にずれた場所であってもよい。
【００３２】
また、読取部３０は、原稿の読み取りの他に、ＡＤＦカバー４１の開閉状態を検知するための検知光を生成し、その反射光を受光する。すなわち、実施形態１においては、ＡＤＦカバー４１の開閉状態を検知するためセンサとして、既設の読取部３０が使用される。
【００３３】
さらに、複合機１の前側には、各種のボタンからなる操作部１１、例えば、液晶ディスプレイからなる表示部１２、およびＵＳＢ接続部１３が設けられている。
【００３４】
２．複合機の電気的構成
図４は、複合機１の電気的構成を概略的に示すブロック図である。複合機１は、図４に示すように、ＣＰＵ２０（検出手段の一例）、ＲＯＭ２１、ＲＡＭ２２、ＮＶＲＡＭ（不揮発性メモリ）２３、ネットワークインターフェイス２４、ファクシミリインターフェイス２５、およびＵＳＢ接続部１３を備え、これらに画像形成部２７（画像形成手段の一例）や、読取部３０、操作部１１、表示部１２などが接続されている。
【００３５】
ＲＯＭ２１には、複合機１の動作を制御するための各種のプログラムが記憶されており、ＣＰＵ２０は、ＲＯＭ２１から読み出したプログラムに従って、その処理結果をＲＡＭ２２またはＮＶＲＡＭ２３に記憶させながら、各部の制御を行う。
【００３６】
ネットワークインターフェイス２４は、通信回線（図示せず）を介して外部のコンピュータ等に接続され、ネットワークインターフェイス２４を介して相互のデータ通信が可能となる。ファクシミリインターフェイス２５は、電話回線（図示せず）に接続され、ファクシミリインターフェイス２５を介して外部のファクシミリ装置等とファクシミリデータの通信が可能となる。ＵＳＢ接続部１３には、ＵＳＢメモリ等が着脱可能に接続される。画像形成部２７は、用紙などの被記録媒体上に画像データに基づく画像を形成する。
【００３７】
３．ＡＤＦカバー開閉の検出構成
次に、図５および図６を参照して、ＡＤＦカバー４１の開閉を検出する構成を説明する。図５は原稿載置台５０の平面図であり、図６は、ＡＤＦカバー４１の開放状態を説明する斜視図である。
【００３８】
図５に示されるように、原稿載置台５０の台枠５１ｂには、ＡＤＦカバー４１の開放を検知するための検知光を通過させるスリット（検知領域の一例）５５が形成されている。ここで、台枠５１ｂは、図２に示されように、原稿カバー４８が開放される側と反対側、すなわち、原稿カバー４８の回動を支持する支点側に位置する台枠である。また、スリット５５は、台枠５１ｂにおいて、中間枠５４の側部に形成されている。すなわち、スリット５５は、台枠５１ｂにおいて、読取部３０のホームポジションＨＰの位置に形成されている。
【００３９】
なお、読取部３０は、原稿の画像の読み取りを開始する前において、ホームポジションＨＰに配置される。また、読取部３０は、読取部３０の主走査方向（図５の矢印で示される：以下、単に、「主走査方向」という）において、第１プラテンガラス５２および第２プラテンガラス（読取位置）５３の主走査方向の長さより長い長さの発光領域および受光領域３０ａを有する。すなわち、通常、読取の余裕を持たせるために、読取部３０の主走査方向の長さは、画像読取領域５２ａおよび画像読取領域５３ａの主走査方向の長さよりも大きい。
【００４０】
また、スリット（検知領域）５５は、主走査方向において、ホームポジションＨＰの近傍に設けられる。その際、スリット５５は、図５に示されるように、読取部３０の発光領域および受光領域３０ａ内に設けられる。
【００４１】
なお、スリット（検知領域）５５は必ずしも原稿カバー４８の支点側の台枠５１ｂ内に形成される必要はなく、例えば、中間枠５４内に形成されてもよく、あるいは中間枠５４と台枠５１ｂとに渡る位置に形成されてもよい。さらには、検知領域はスリット５５に限られず、検知領域は、第１プラテンガラス５領域の一部あるいは第２プラテンガラス５３領域の一部であってもよい。要は、スリット（検知領域）５５は、画像読取領域５２ａおよび画像読取領域５３ａの外に設けられればよい。
【００４２】
また、図６に示されるように、ＡＤＦカバー４１には、ＡＤＦカバー４１が閉じた状態でスリット５５を覆って読取部３０からの検知光を反射する受光量可変手段４７が設けられている。受光量可変手段４７は、ＡＤＦカバー４１が開いた状態ではスリット５５から離脱し、そのとき、読取部３０からの検知光はスリット５５を通過する。すなわち、受光量可変手段４７は、読取部３０による検知光の受光量をＡＤＦカバー４１の開閉状態に応じて可変する。
【００４３】
ここで、受光量可変手段４７は、例えば、棒部４７ａと、棒部４７ａの先端に設けられた反射部４７ｂとを含む。反射部４７ｂの、スリット５５に対向する面は、例えば、白いテープが貼られ、白領域ＲＷとされる。これは、読取部３０からの検知光の反射率を高めるためである。また、反射部４７ｂの平面積は、好ましくは、スリット５５を完全に覆うために、スリット５５の断面積よりも大きい。また、反射部４７ｂはスリット５５内に若干挿入する形状であってもよい。その場合、反射部４７ｂの先端部をテーパ状とし、最先端部の平面積を、スリット５５の断面積よりも小さくするようにすればよい。
【００４４】
４．ＡＤＦカバー開閉検出処理
次に、ＣＰＵ２０が所定の制御プログラムにしたがって実行するＡＤＦカバー開閉検出処理について、図７を参照して説明する。図７は、カバー開閉検出ルーチンを示すフローチャートであり、カバー開閉検出ルーチンは、例えば、ユーザによるコピー指示あるいはスキャン指示に応じて実行される。なお、ここでは、コピー指示あった場合を想定し、また、原稿カバー４８が閉じていることを、前提とする。すなわち、通常、原稿カバー４８の開状態において、ＡＤＦカバー４１の開閉検出は行われない。
【００４５】
ユーザによってコピー指示（原稿の読取要求）がなされると、まずステップＳ１１０において、ＣＰＵ２０は、原稿センサ４９の検出信号に基づいて、原稿トレイ４２にＡＤＦ４０によって読み取る原稿（紙）があるか否かを判定する。すなわち、ＡＤＦ４０によるコピー指示であるかどうかを判定する。
【００４６】
原稿トレイ４２に原稿がないと判定した場合には、ステップＳ１１５において原稿載置台５０に原稿があるか否かを判定を、既知の方法によって判定する。原稿載置台５０に原稿があると判定した場合には、コピー動作を開始させ（ステップＳ１７０）、原稿載置台５０に原稿がないと判定した場合には、一旦、処理を終了する。
【００４７】
一方、ステップＳ１１０において、原稿トレイ４２に原稿があり、ＡＤＦ４０によるコピー指示であると判定した場合には、ＣＰＵ（検知手段）２０は、ＡＤＦカバー４１の開閉検出のための、読取部３０による読取動作を開始させる。具体的には、読取部３０がホームポジションＨＰに位置した状態において、ＡＤＦカバー４１の開閉状態を検知するための検知光を読取部３０の光源３１から台枠５１ｂのスリット５５に向けて照射させる（ステップＳ１２０）。続いて、ＣＰＵ２０は、スリット５５からの検知光（反射光）を、読取部３０のリニアイメージセンサ３３によって受光させる（ステップＳ１３０）。
【００４８】
次いで、ステップＳ１４０において、ＣＰＵ２０は、スリット５５から受光レベル（受光量）が所定の規定値以上かどうかを判定する。スリット５５から受光レベル（検知光の反射量）が所定の規定値以上であると判定した場合は、ＡＤＦカバー４１が閉状態であると判断する。これは、ＡＤＦカバー４１が閉状態であると、ＡＤＦカバー４１の受光量可変手段４７によって台枠５１ｂのスリット５５が覆われ、受光量可変手段４７の反射部４７ｂの白領域ＲＷによって、検知光が読取部３０に向けて好適に反射されるからである。次いで、ステップＳ１７０において、ＣＰＵ２０は、ＡＤＦ４０に原稿の搬送を開始させ、コピー動作を開始させる。すなわち、ＡＤＦ４０は、第２プラテンガラス５３に搬送される原稿の読取要求があった場合において、ＡＤＦカバー４１の閉状態が検知された場合に、原稿の搬送を開始する。これによって、第２プラテンガラス５３に搬送される原稿の読取を確実に行える。
【００４９】
一方、ステップＳ１４０において、スリット５５から受光レベルが所定の規定値以上でないと判定した場合は、ＡＤＦカバー４１が開状態であると判断する。これは、ＡＤＦカバー４１が開状態であると、ＡＤＦカバー４１の受光量可変手段４７の反射部４７ｂがスリット５５から離間しているため、検知光が読取部３０に向けて好適に反射されないからである。そして、ＡＤＦカバー４１が開状態であることを、例えば、表示部１２に表示して、ユーザに警告する（ステップＳ１５０）。
【００５０】
次いで、ステップＳ１６０において、ＣＰＵ２０は、ＡＤＦカバー４１が閉じられたかどうかを判定する。この判定は、例えば、上記ステップＳ１２０からステップＳ１４０までの処理を再度実行して行われる。ＡＤＦカバー４１が閉じられたと判定した場合には、コピー動作を開始させ（ステップＳ１７０）、一方、ＡＤＦカバー４１が閉じられていないと判定した場合には、ステップＳ１５０に戻って、警告を続ける。
【００５１】
５．実施形態１の効果
実施形態１によれば、ＡＤＦカバー４１の開閉状態が、受光量可変手段４７を設けることによって、既設の読取部３０を用いて好適に検知される。そのため、ＡＤＦカバー４１の開閉状態を検知するための、フォトインタラプタ等の光センサおよびその配線を、別途設ける必要がない。その際、スリット５５（検知領域）において、受光量可変手段４７の反射部４７ｂによって読取部３０からの検知光を反射させることによって、読取部３０による検知光の受光量を好適に可変することができる。
【００５２】
また、受光量可変手段４７の反射部４７ｂの、スリット５５に対向する面は、白領域ＲＷとされる。そのため、検知光の反射量、すなわち読取部３０の受光量を最大化できる。
【００５３】
また、スリット（検知領域）５５が、読取部３０のホームポジションＨＰに形成されている。そのため、読取部３０をホームポジションＨＰから移動させることなく、ＡＤＦカバー４１の開閉検出を行える。すなわち、ＡＤＦカバー４１の開閉検出を迅速に行える。
【００５４】
＜実施形態２＞
次に本発明の実施形態２を、図８および図９を参照して説明する。実施形態２は、実施形態１とは、受光量可変手段の構成のみが異なる。図８は、ＡＤＦカバー４１が閉状態における受光量可変手段４７Ａの状態を模式的に示し、図９は、ＡＤＦカバー４１が開状態における受光量可変手段４７Ａの状態を模式的に示す。
【００５５】
図８に示されるように、受光量可変手段４７Ａは、棒部４７ａ、シャッター４７ｃおよびバネ４７ｄを含む。棒部４７ａは、実施形態１と同様に、ＡＤＦカバー４１に設けられる。シャッター４７ｃおよびバネ４７ｄは、原稿カバー４８の内部において、台枠５１ｂのスリット５５に対応して設けられる。
【００５６】
なお、台枠５１ｂのスリット５５に対応した、原稿カバー４８の所定位置には、スリット５５と同一の断面積を有するスリット５５Ａが設けられる。また、シャッター４７ｃの裏面４７ｃｂの一部には、実施形態１と同様に、例えば、白いテープが貼られ、白領域ＲＷとされる。裏面４７ｃｂの白領域ＲＷは、図８に示されるように、ＡＤＦカバー４１の閉状態において、原稿カバー４８のスリット５５Ａおよび台枠５１ｂのスリット５５を覆う。この場合、読取部３０からの検知光は、シャッター４７ｃの白領域ＲＷによって、好適に読取部３０に反射される。この場合、検知光の反射光によって、ＣＰＵ２０はＡＤＦカバー４１の閉状態を検出する。
【００５７】
シャッター４７ｃは、ＡＤＦカバー４１の開閉に連動して水平方向に可動である。より詳細には、ＡＤＦカバー４１の開動作に連動して棒部４７ａが図８の上方に向けて移動すると、シャッター４７ｃは、バネ４７ｄの復元力によって図８の左側に移動することによって、図９に示される位置に移動する。この状態では、図９に示されるように、シャッター４７ｃはスリット５５を覆わない。そのため、ＡＤＦカバー４１の開状態においては、読取部３０からの検知光は、シャッター４７ｃによって反射されないため、ＣＰＵ２０はＡＤＦカバー４１の開状態を検出する。
【００５８】
また、ＡＤＦカバー４１が開状態から閉状態とされる場合は、ＡＤＦカバー４１の閉動作に連動して棒部４７ａが図９の下方に向けて移動する（矢印参照）。そして、棒部４７ａの先端がシャッター４７ｃの斜面４７ｃｓに当接し、棒部４７ａによってシャッター４７ｃが図９の右側に移動され（矢印参照）、最終的にシャッター４７ｃは、図８に示される位置に移動する。
【００５９】
なお、シャッター４７ｃが、スリット５５を覆う態様は、図８および図９に示される態様に限られない。例えば、図８および図９に示される移動態様とは、逆であってもよい。すなわち、ＡＤＦカバー４１の閉動作に連動してシャッター４７ｃを開放し、ＡＤＦカバー４１の開動作に連動してシャッター４７ｃを覆うようにしてもよい。
【００６０】
要は、シャッター４７ｃは、ＡＤＦカバー４１の開状態および閉状態のうちいずれか一方の状態のときに、スリット５５において検知光を白領域ＲＷによって読取部３０に向けて反射するようにする。そして、ＣＰＵ２０は、検知光の受光量が他方の状態より多い場合にＡＤＦカバー４１の一方の状態を検知するようにすればよい。
【００６１】
さらに、シャッター４７ｃの裏面４７ｃｂの構成はこれに限られず、図１０に示されるように、白領域ＲＷの隣に黒領域ＲＢを形成するようにしてもよい。この構成においては、ＡＤＦカバー４１の閉状態において、白領域ＲＷが原稿カバー４８のスリット５５Ａおよび台枠５１ｂのスリット５５を覆うようにシャッター４７ｃが位置される。一方、ＡＤＦカバー４１の開状態において、黒領域ＲＷが原稿カバー４８のスリット５５Ａおよび台枠５１ｂのスリット５５を覆うように、シャッター４７ｃが移動される。
【００６２】
この構成の利点は次のようである。図９に示される状態、すなわち、ＡＤＦカバー４１の開状態においては、検知光が、例えば、ＡＤＦカバー４８の内部で乱反射して、その反射光が読取部３０によって受光される虞がある。しかしながら、この構成では、ＡＤＦカバー４１の開状態においては、検知光の反射が黒領域ＲＢによって確実に抑制されるので、ＡＤＦカバー４１の開状態検出の信頼性が向上される。すなわち、検知光の反射量の差は、白領域ＲＷにおける検知光の反射量と黒領域ＲＢにおける検知光の反射量とにおいて最大となる。そのため、ＡＤＦカバー４１の開閉にシャッター４７ｃの黒領域ＲＢおよび白領域ＲＷを対応させることによって、読取部３０の受光量の変化によるＡＤＦカバー４１の開閉検知の信頼性が向上する。
【００６３】
なお、図１０に示される白領域ＲＷと黒領域ＲＢとの配置を逆にしてもよい。その場合、ＣＰＵ２０は、読取部３０の検知光の受光量（受光レベル）が規定値以上である場合、ＡＤＦカバー４１の開状態を検出するようにする。一方、ＣＰＵ２０は、読取部３０の検知光の受光量が規定値未満である場合、ＡＤＦカバー４１の閉状態を検出するようにすればよい。
【００６４】
すなわち、シャッター４７ｃは、ＡＤＦカバー４１の開状態および閉状態のうちいずれか一方の状態のときに白領域ＲＷによってスリット５５（検知領域）において検知光を読取部３０に向けて反射し、開状態および閉状態のうちいずれか他方の状態のときに黒領域ＲＢによってスリット５５において検知光を読取部３０に向けて反射する構成であればよい。
【００６５】
＜実施形態３＞
次に本発明の実施形態３を、図１１および図１２を参照して説明する。図１１は、実施形態３における原稿載置台５０の平面図である。図１２は、実施形態３における、カバー開閉検出ルーチンを概略的に示すフローチャートである。カバー開閉検出ルーチンは、実施形態１と同様に、ユーザによるコピー指示あるいはスキャン指示に応じて実行される。なお、ここでは、コピー指示あった場合を想定し、また、ＡＤＦカバー４１の開閉検知は、原稿カバー４８が閉じていることを、前提とする。
【００６６】
実施形態３の実施形態１との相違点は、カバー開閉検出ルーチンに係る構成が異なる点にある。すなわち、実施形態３では、実施形態１に示されるＡＤＦカバー４１の開閉検出に加え、原稿カバー４８の開閉検出が読取部３０を利用して行われる。なお、以下の説明において、実施形態１と重複する説明は省略する。
【００６７】
図１１に示されるように、原稿載置台５０の台枠５１には、ＡＤＦカバー開閉検出用のスリット５５（第１領域に相当）の他に、原稿カバー開閉検出用のスリット５６（第２領域に相当）が設けられている。詳しくは、スリット５６は、例えば、スリット５５と対向する位置に設けられている。すなわち、スリット５６は、図１１に示されるように、台枠５１ｂと対向する台枠５１ａにおいて、中間枠５４の側部であって、読取部３０のホームポジションＨＰの位置に形成されている。
【００６８】
なお、スリット５６の形成位置はこれに限られず、スリット５５と同様に、要は、読取部３０による、検出光の反射光の検出が可能な場所であって、画像読取領域５２ａおよび画像読取領域５３ａの外であればよい。また、ＡＤＦカバー開閉検出用のスリット５５と原稿カバー開閉検出用のスリット５６との位置関係は、逆であってもよい。すなわち、台枠５１ａにスリット５５が形成され、台枠５１ｂにスリット５６が形成されるようにしてもよい。
【００６９】
また、ＡＤＦカバー４１の開閉検出用の受光量可変手段（第１受光量可変手段）および原稿カバー４８の開閉検出用の受光量可変手段（第２受光量可変手段）は、実施形態１に示された受光量可変手段４７あるいは実施形態２に示された受光量可変手段４７Ａとする。なお、これに限られず、原稿カバー４８の開閉検出用の受光量可変手段は、例えば、原稿カバー４８の裏面の設けられる白色反射板ＷＢ（図２参照）としてもよい。
【００７０】
次に、図１２のフローチャートを参照して、カバー開閉検出ルーチンを説明する。ユーザによってコピー指示（原稿の読取要求）がなされると、ＣＰＵ２０は、まずステップＳ２１０において、ＡＤＦカバー４１および原稿カバー４８の開閉検出のために、読取部３０による読取動作を開始させる。そして、スリット５５およびスリット５６からの検知光（反射光）を、読取部３０のリニアイメージセンサ３３によって受光させる（ステップＳ２１５）。
【００７１】
次いで、ステップＳ２２０において、実施形態１のステップＳ１１０と同様に、原稿センサ４９の検出信号に基づいて、原稿トレイ４２にＡＤＦ４０によって読み取る原稿（紙）があるか否かを判定する。原稿トレイ４２に原稿がないと判定した場合には、ステップＳ２４０に移行する。
【００７２】
一方、ステップＳ２２０において、原稿トレイ４２に原稿があると判定した場合には、ステップＳ２２５において、実施形態１のステップＳ１４０と同様に、ＣＰＵ２０は、スリット５５（位置（１））における受光レベル（受光量）が所定の規定値以上かどうかを判定する。スリット５５における受光レベルが規定値以上であると判定した場合は、ＡＤＦカバー４１が閉状態であると判断し、ステップＳ２４０に移行する。
【００７３】
一方、ステップＳ２２５において、スリット５５における受光量が所定の規定値以上でないと判定した場合は、ＡＤＦカバー４１が開状態であると判断する。そして、ＡＤＦカバー４１が開状態であることを、例えば、表示部１２に表示して、ユーザに警告する（ステップＳ２３０）。
【００７４】
次いで、ステップＳ２３５において、ＣＰＵ２０は、ＡＤＦカバー４１が閉じられたかどうかを判定する。ＡＤＦカバー４１が閉じられたと判定した場合には、ステップＳ２４０に移行し、一方、ＡＤＦカバー４１が閉じられていないと判定した場合には、ステップＳ２３０に戻って、警告を続ける。
【００７５】
次いで、ステップＳ２４０において、ステップＳ２２５と同様に、ＣＰＵ２０は、スリット５６（位置（２））における受光レベル（受光量）が所定の規定値以上かどうかを判定する。スリット５６における受光レベル（検知光の反射量）が所定の規定値以上であると判定した場合は、原稿カバー４８が閉状態であると判断し、ステップＳ１７０において、コピー動作を開始させる。
【００７６】
一方、ステップＳ２４０において、スリット５６における受光量が所定の規定値以上でないと判定した場合は、原稿カバー４８が開状態であると判断する。そして、原稿カバー４８が開状態であることを、例えば、表示部１２に表示して、ユーザに警告する（ステップＳ２４５）。
【００７７】
次いで、ステップＳ２５０において、ＣＰＵ２０は、コピーＯＫボタンあるいはスキャンＯＫボタンが押されたかどうかを判定する。押されたと判定した場合には、ステップＳ１７０において、コピー動作を開始させる。これは、本などの厚い原稿をコピーあるいはスキャンする場合に相当する。一方、コピーＯＫボタンが押されていないと判定した場合には（ステップＳ２５０：ＮＯ）、ステップＳ２５５において、原稿カバー４８が閉じられたかどうかを判定する。原稿カバー４８が閉じられたと判定した場合には、ステップＳ１７０に移行し、一方、原稿カバー４８が閉じられていないと判定した場合には、ステップＳ２４５に戻って、警告を続ける。
【００７８】
なお、ステップＳ２２５において、ＣＰＵ２０は、スリット５５（位置（１））における受光レベル（受光量）が所定の規定値未満かどうかを判定し、スリット５５における受光レベルが規定値未満であると判定した場合は、ＡＤＦカバー４１が閉状態であると判断するようにしてもよい。すなわち、例えば、受光量可変手段であるシャッター４７ｃは、ＡＤＦカバー４１が開状態であるとき、検知光を反射するようにしてもよい。この場合、ＡＤＦカバー４１の開閉検知と原稿カバー４８の開閉検知との判定基準が互いに依存しないため、各判定を互いに独立させて好適に行える。
【００７９】
上記したように、実施形態３においては、既設の読取部３０を用いて、ＡＤＦカバー４１および原稿カバー４８の、２つのカバーの開閉状態を好適に検知できる。
【００８０】
＜他の実施形態＞
本発明は上記記述及び図面によって説明した実施形態に限定されるものではなく、例えば次のような実施形態も本発明の技術的範囲に含まれる。
【００８１】
（１）上記実施形態１において、スリット５５の形成位置は、図５に示した位置に限られない。例えば図１３に示すように、台枠５１ｃにスリット５７を形成するようにしてもよい。すなわち、スリット（検知領域）を、読取部３０の副走査方向（図１３の矢印参照）において、第２プラテンガラス５３（読取位置）に対してホームポジションＨＰと反対側、すなわち、台枠５１ｃに設けるようにしてもよい。この場合、読取部３０の主走査方向の大きさをＡＤＦカバー４１の開閉検出のために特に設計変更する必要がなく、既存の読取手段をそのまま利用できる。また、スリットの大きさの制限が少なく、読取部３０をより有効に使用できる。
【００８２】
（２）上記実施形態３において、ＣＰＵ２０は、スリット５６（原稿カバー開閉検知領域）において、検知光の反射光のレベルが、開閉レベルの中間値である場合、ブック原稿等の厚い原稿を読み取るために、原稿カバー４８が少し浮いた状態であることを判断するようにしてもよい。
この場合、原稿カバー４８の開閉状態に加え、原稿カバー４８の半開き状態も検知できる。
【００８３】
（３）上記各実施形態においては、既設の読取部３０を用いてＡＤＦカバー４１および原稿カバー４８の開閉状態を検出する際に、読取部３０から検知光を照射してその反射光（受光量）に基づいて、行うようにしたが、必ずしもこれに限定されない。例えば、読取部３０から検知光を照射せずに、単に、カバーの開閉に応じた読取部３０への外光の受光量に基づいて、カバーの開閉を検出するようにしてもよい。その際、ＡＤＦカバー４１の開閉に応じて、外光を、所定の検知領域、例えば、図５に示したスリット５５に好適に導く導光路（例えば、光ファイバーによる）を設けるようにすればよい。
【符号の説明】
【００８４】
１…複合機
３…画像読取装置
１１…操作部
１２…表示部
２０…ＣＰＵ
２７…画像形成部
３０…読取部
４０…ＡＤＦ（自動原稿給紙装置）
４１…ＡＤＦカバー
４７…受光量可変手段
４７ｃ…シャッター
４８…原稿カバー
５０…原稿載置台
５１…台枠
５３…第２プラテンガラス
５４…中間枠
５５，５６…スリット
ＨＰ…ホームポジション
【図１】
2011015046.tif 000003
【図２】
2011015046.tif 000004
【図３】
2011015046.tif 000005
【図４】
2011015046.tif 000006
【図５】
2011015046.tif 000007
【図６】
2011015046.tif 000008
【図７】
2011015046.tif 000009
【図８】
2011015046.tif 000010
【図９】
2011015046.tif 000011
【図１０】
2011015046.tif 000012
【図１１】
2011015046.tif 000013
【図１２】
2011015046.tif 000014
【図１３】
2011015046.tif 000015